Podtech/llm-jp-corpus-v4-ja_patent huggingface dataset:
(57)【要約】【課題】一般市場に流通している裏面ノンスリップ加工等の加工を施していない、大部分のソファーの上掛け等をずれにくくする。又上掛けの装着、取り外しを容易にする。【解決手段】ソファーと上掛けの間に、プレーンな生地の表面、裏面の両方にノンスリップ加工を施した、両面ノンスリップシートを敷く事により、ソファーとノンスリップシート及び、上掛けとノンスリップシートの両方に摩擦が生じ、上掛けをずれにくくする。又、間に敷くだけなので、上掛けの装着、取り外しも容易である。【選択図】図２
2005211103.tif 000002
【特許請求の範囲】
【請求項１】
プレーンな生地の両面にノンスリップ加工をした滑り止めシートで、ソファー等と上掛けの間に敷く事により、上掛けがすべりにくくなるノンスリップシート。
【発明の詳細な説明】
【技術分野】
【０００１】
本発明は、生地（綿、ポリエステル、不織布等で特には素材を選ばない）の両面にノンスリップ加工を施したものである。本発明をソファー等と、上掛け等の間に敷き、上掛けが滑りにくいようになっている。
【背景技術】
【０００２】
従来、ソファーにカバーを掛けると、一般的な上掛けは滑りやすく、すぐにずれてしまうという欠点があった。その対策として、上掛け自体の裏面にノンスリップ加工を施し滑りにくくするという製品がある。
【０００３】
又、上掛け自体に技術を施してなく、ずれの問題を解決する商品としては、図３の上掛けの対面両端を、サスペンダー等で接続してずれにくくする製品があるが、力がかかると上掛けの破れが発生する、装着時、又洗濯をする際の取り外しに手間がかかる等の欠点がある。
【０００４】
図４のソファーの形状にあわせて、ソファーカバーをつくった製品があるが、一定の形状のソファーにしか合わない、生産コストがかかるという欠点がある。
【発明の開示】
【発明が解決しようとする課題】
【０００５】
一般市場に流通している大部分のソファーカバー等の上掛けでは、すぐにずれてしまう。従来の技術での解決では、薄手の上掛けではカバーが破れる、特定の形状のソファーにしか対応しない、装着、取り外しに手間がかかるという問題がある。大部分の上掛けに使用可能であり、上掛けを傷つけず、手軽に上掛けをずれにくくするという課題に取り組んだ。
【課題を解決するための手段】
【０００６】
ソファーとカバーの間に、両面ノンスリップシートを敷く事により、上掛けをずれにくくする。
【発明の効果】
【０００７】
ソファーとノンスリップシート、及び上掛けとノンスリップシートの両方に摩擦が生じ、上掛けをずれにくくすることに成功した。
【０００８】
ソファーと上掛けの間に敷くだけなので、洗濯の際などの上掛けの取り外し、装着が容易にできる。
【０００９】
サスペンダーでは、布を挟んでの使用する為、薄手の上掛けでは破れを起こす可能性があり使用には適さないが、本発明では、上掛け自体には加工、細工を施さない為、上掛けの材質、薄手、厚手もあまり選ばない。一般市場に流通している大部分の上掛けとの組み合わせが可能。
【００１０】
上掛けをしたソファーの毎日の使用で、上掛けのずれが軽減される。その結果、ソファーの上掛けのずれを修正する手間から解放される。
【発明を実施するための最良の形態】
【００１１】
本発明は、裏面ノンスリップ加工等を施されていない身近にある上掛けを、本発明品を、ソファーと上掛けの間に敷くだけですべりにくくし、大部分の上掛けに手軽に使用可能である。
【実施例１】
【００１２】
図2は、本発明の１実施例の使用図であり、ノンスリップシートをソファーと上掛けの間に敷き、すべりにくい状態を表している。
【図面の簡単な説明】
【００１３】
【図１】ノンスリップシートの製作例である。
【図２】ノンスリップシートの実施方法を示した説明図である。（実施例１）
【図３】サスペンダーを使用した上掛けをすべりにくくする従来の技術である。
【図４】ソファーの形状に合わせた上掛けをすべりにくくする従来の技術である。
【符号の説明】
【００１４】
１    表面ノンスリップ加工
２    裏面ノンスリップ加工
３    ノンスリップシート
４    サスペンダー
５    ソファーカバー
【図１】
2005211103.tif 000003
【図２】
2005211103.tif 000004
【図３】
2005211103.tif 000005
【図４】
2005211103.tif 000006
(57)【要約】【課題】従来の点眼薬容器は30〜150μlもの眼にとっては過量の薬液を滴下するため、眼内から溢れ出た薬液が眼周囲の皮膚炎の原因となっている。【解決手段】点眼後、眼内から溢れ出ない薬液量である30μl以下の液量を滴下し得る口径0.1〜 0.8mmのノズルを有する点眼用容器あるいは従来の点眼用容器のノズル部分に取り付けて30μl以下の点眼液量を滴下することを可能とするアダプターを考案することにより上記課題を解決した。【選択図】図１
2005211184.tif 000002
【特許請求の範囲】
【請求項１】
点眼後、眼内から溢れ出ない薬液量である３０μl（マイクロリットル）以下の液量を滴下し得る0.1〜 0.8mmの細い内径のノズルを有する点眼容器、あるいは従来の点眼容器に取り付けて30μl以下の点眼液量を滴下することを可能とする0.1〜 0.8mmの細孔を有するアダプター。
【請求項２】
点眼後、眼内から溢れ出ない薬液量である30μl以下の薬液量を滴下し得る0.1〜 0.8mmの内径を有する点眼容器用ノズル。
【請求項３】
従来の点眼容器に取り付けて30μl以下の薬液量の滴下を可能とするアダプター。
【発明の詳細な説明】
【技術分野】
【０００１】
本発明は、眼内から溢れ出ない点眼液量である３０μl（マイクロリットル）以下の点眼液を滴下させることを可能とする点眼容器、もしくは既存の点眼容器に取り付けて眼内から溢れ出ない少量の点眼液を滴下させることを可能とするアダプタ−を提供する。
【背景技術】
【０００２】
点眼液を眼に滴下する場合、３０μl以下の液量を滴下すると眼内から溢れ出ることなく眼内に貯留させることができる。ところが既存の点眼液容器を用いて点眼すると、１回の点眼時に約30〜150μlもの液量が滴下する。結膜嚢の最大保持容積は約30μlであるため、30〜150μlの液量は眼にとって過剰量となる。そのため、滴下時に往々にして眼内から薬液が溢れ出し、眼周囲皮膚炎の原因となっている。眼周囲皮膚炎という問題点を解決するためには、眼内に貯留可能な薬液量である30μl以下の微量の薬液を滴下できる点眼容器を開発するか、もしくは既存の点眼容器に取り付けることにより30μl以下の量の薬液を滴下できるアダプターが求められている。
【非特許文献１】高田寛治、薬が効く人効かない人、集英社、２０００年
【発明の開示】
【発明が解決しようとする課題】
【０００３】
現行の点眼液容器を用いて点眼剤を点眼する際、１回の点眼時には約30〜150μlもの液量が滴下するために、過剰の薬液を滴下する。滴下時に往々にして眼内から薬液があふれだし、眼の周りの皮膚への炎症・傷害などの副作用の原因となる問題点が横たわっている。
【課題を解決するための手段】
【０００４】
１回あたりの点眼で眼内に貯留可能な薬液量は30μl以下であることが知られているので、１回当たりの点眼で30μl以下の微量の薬液量を滴下できる点眼容器を開発するか、あるいは既存の点眼容器に取り付けて30μl以下の微量の薬液量の滴下を可能とするアダプターを考案することにより本発明を完成した。
【発明の効果】
【０００５】
0.1〜 0.8mmの細い内径のノズルを有する点眼容器、あるいは従来の点眼容器のノズルに取り付けることのできる口径0.1〜 0.8mmの細孔を有するアダプターを用いれば、30μl以下の微量の点眼液を滴下することが可能となる。
【発明を実施するための最良の形態】
【０００６】
本発明者は、前記課題を解決するために鋭意研究を重ねた結果、細い内径のノズルを有する点眼容器および既存の点眼容器に取り付けて使用する細孔アダプターを発明した。本発明の成果として開発した少量滴下を可能とする細孔を有する点眼容器用ノズル部分を図１に示す。本点眼容器の先は従来の点眼容器のノズルの内径よりも細く設計されている。実験の結果、内径を約0.5mmとすることにより、30μl以下の微量の点眼薬液の滴下を可能とした。また、従来の点眼容器に取り付けて滴下薬液量を30μl以下の量にまで下げるためのアダプターの例を示したのが図２および図３である。いずれの素材も従来より点眼容器に用いられているポリエチレン、ポリプロピレンなどのプラスティックを用いることができる。なお、本発明は図１〜３に限定されるものではなく、図１〜３は本発明を具現化する場合の１例としてそれぞれ明示したにすぎない。
【実施例１】
【０００７】
点眼瓶のノズル部分の薬液通過の細孔の内径を0.1〜 0.8mmとした点眼用容器
【実施例２】
【０００８】
既存の点眼容器のノズル部分に挿入する0.1〜 0.8mmの内径を有するアダプターの例
【実施例３】
【０００９】
既存の点眼容器のノズル部分に挿入する約０．５mmの内径を有するアダプターの例
【産業上の利用可能性】
【００１０】
現行の点眼液容器を用いて点眼剤を点眼する際、一回の点眼時には約30〜150μlもの液量が滴下するために、過剰の薬液を滴下する。滴下時に往々にして眼内から薬液があふれだし、眼の周りの皮膚への炎症・傷害などの副作用の原因となっている。本発明による点眼薬容器を用いるかあるいは本発明のアダプターを従来の点眼薬容器に取り付けることにより眼内から溢れ出すことのない微量の薬液を点眼することにより上記の問題点を解決することができる。
【００１１】
眼内から溢れ出ない微量の点眼液を滴下させることを可能とする点眼容器もしくは、既存の点眼容器に取り付けて眼内から溢れ出ない微量の点眼液を滴下させることを可能とするアダプタ−を用いることにより、眼内から溢れ出すことのない30μl以下の微量の薬液を点眼することを可能とする。
【図面の簡単な説明】
【００１２】
【図１】本発明による微量の薬液を滴下するように設計された約０．５mmの内径を有する点眼薬容器用ノズル部分（実施例１）
【図２】本発明による微量の薬液を滴下するように設計された既存の点眼薬容器のノズル部分に取り付けて使用するアダプターの例とその断面図（実施例２）
【図３】本発明による微量の薬液を滴下するように設計された既存の点眼薬容器のノズル部分に取り付けて使用するアダプターの例とその断面図（実施例３）
【図１】
2005211184.tif 000003
【図２】
2005211184.tif 000004
【図３】
2005211184.tif 000005
(57)【要約】      （修正有）【課題】塗り薬を皮膚に浸透させるようにした超音波塗り浸透促進装置を提供する。【解決手段】台座１の端部にほぼ垂直方向に保持部２が一体に設けられ、保持部２の側部から台座１の方向に挟持部３ａ、３ｂが突出され、保持部２の上端から金属部材４が突出され、この金属部材４の上端で台座１の方向に直角に曲げられて、中心に透孔５ａを持つドーナツ状部材５が装着された浸透部が形成され、この浸透部の金属部材４に超音波振動子６が連結されて保持部２内に装着され、又、台座１に電源７及び発振器８が装着され、台座１に装着したスイッチ９をオンにすると、発振器８から発振出力が超音波振動子６に印加するように構成されている。【選択図】図１
2005211183.tif 000002
【特許請求の範囲】
【請求項１】
電源及び発振器を装着する台座と、該台座の端部よりほぼ垂直に突出し、前記台座の方向に挟持部材を設けた保持部と、該保持部の上端に垂直に突出する細い金属部材から前記台座の上部方向にほぼ直角に曲げられ、中心に透孔を持つドーナツ状部材を設けた浸透部と、該浸透部の前記金属部材に連結されて、前記保持部に装着された超音波振動子とからなり、前記台座に塗り薬ボトルを載置し、前記挟持部材で前記塗り薬ボトルを挟持し、前記塗り薬ボトルのキャップに設けたスポンジ部材を前記押え部の前記ドーナツ状部材から突出させることを特徴とする超音波塗り薬浸透促進装置。
【請求項２】
前記前記押え部の金属部材と前記超音波振動子を前記保持部内で上下に移動可能に装着することを特徴とする請求項１記載の超音波塗り薬浸透促進装置。
【発明の詳細な説明】
【技術分野】
【０００１】
本発明は、塗り薬ボトルのキャップに装着したスポンジ部材を超音波振動することにより、塗り薬を皮膚に浸透させるようにした超音波塗り薬浸透促進装置に関するものである。
【背景技術】
【０００２】
従来、塗り薬ボトルはキャップにスポンジ部材が装着され、塗り薬ボトル内の塗り薬は、塗り薬ボトルを逆さにして、スポンジ部材を患部に当ててこすると、スポンジ部材を通して塗り薬が適量滲みだすことにより、皮膚に適量の塗り薬が塗布されるように構成されている。
【０００３】
しかしながら、従来のこのような塗り薬ボトルでは、患部に塗布された塗り薬は患部からすぐに蒸発してしまうので、適宜効果を得るには、何回も塗布しなければならないという問題があった。
【発明の開示】
【発明が解決しようとする課題】
【０００４】
解決しようとする問題点は、患部に塗布した塗り薬がすぐに蒸発してしまうので、適宜効果を得るには、繰り返し塗布しなければならない点である。
【課題を解決するための手段】
【０００５】
本発明では、塗り薬ボトルを装着する台座と、塗り薬ボトルを挟持する保持部と、塗り薬ボトルのキャップに装着されたスポンジ部材が突出されるドーナツ状部材と、このドーナツ状部材に連結された金属部材に超音波振動子を連結し、超音波振動子に発振器からの発振出力を印加することにより、超音波振動子からの超音波振動をドーナツ状部材に伝達し、皮膚に塗布された塗り薬を超音波振動により皮膚内に浸透させるようにする。
【発明の効果】
【０００６】
本発明の超音波塗り薬促進装置では、塗り薬ボトルのキャップに設けたスポンジ状部材の周囲に超音波のマイクロ振動を印加することにより、塗り薬を皮膚に塗布した時に、その状態で静止することにより、皮膚に塗布された塗り薬はマイクロ振動により皮膚内に浸透され、治癒効果を高めることができる。
【実施例】
【０００７】
図１は本発明の実施例の超音波塗り薬促進装置の斜視図で、台座１の端部にほぼ垂直方向に保持部２が一体に設けられ、保持部２の側部から台座１の方向に挟持部３ａ、３ｂが突出され、保持部２の上端から金属部材４が突出され、この金属部材４の上端で台座１の方向に直角に曲げられて、中心に透孔５ａを持つドーナツ状部材５が装着された浸透部が形成され、この浸透部の金属部材４に超音波振動子６が連結されて保持部２内に装着され、又、台座１に電源７及び発振器８が装着され、台座１に装着したスイッチ９をオンにすると、発振器８から発振出力が超音波振動子６に印加するように構成されている。
【０００８】
このように構成された本実施例の超音波塗り薬促進装置では、図２に示すように、塗り薬ボトル１０の底部を台座１の上に載せ、塗り薬ボトル１０の側面を保持部２の挟持部材３ａ、３ｂで挟持し、塗り薬ボトル１０のキャップ１０ａを浸透部のドーナツ状部材５の下に挿入し、キャップ１０ａの上部に設けたスポンジ部材１０ｂをドーナツ状部材５の透孔５ａから上部に突出し、台座１に装着したスイッチ８をオンにし、台座１と塗り薬ボトル１０を持って、スポンジ状部材５を患部に当てると、塗り薬ボトル１０内の塗り薬が皮膚に塗布されるとともに、浸透部のドーナツ状部材５が患部に接触されるので、この状態を維持していると、患部に塗布された塗り薬はドーナツ状部材１０の超音波によるマイクロ振動で、皮膚内に急速に浸透され、患部の治癒効果を高めることができる。
【産業上の利用可能性】
【０００９】
なお、上記実施例では、ドーナツ状部材５を接続した金属部材４を超音波振動子６に連結して、超音波振動子６を保持部２内に固定されているように記載したが、超音波振動子６と浸透部の金属部材４を上下に適宜移動できるように構成すれば、塗り薬ボトル１０の大きさに対応することができ、又、電源７として、交流電源又は電池等の直流電源を使用することができる。
【図面の簡単な説明】
【００１０】
【図１】本発明の実施例の超音波塗り薬浸透促進装置の斜視図である。
【図２】図１の超音波塗り薬浸透促進装置に塗り薬ボトルを装着した斜視図である。
【符号の説明】
【００１１】
１                台座
２                保持部
３                挟持部
４                金属部材
５                ドーナツ状部材
６                超音波振動子
７                電源
８                発振器
９                スイッチ
１０              塗り薬ボトル
【図１】
2005211183.tif 000003
【図２】
2005211183.tif 000004
(57)【要約】【課題】  従来のこのような塗り薬ボトルでは、患部に塗布された塗り薬は患部からすぐに蒸発してしまうので、適宜効果を得るには、何回も塗布しなければならないという問題があった。【解決手段】  塗り薬ボトル１の口部に、ホーン２ａが接続された超音波振動子２、発振器３及び電源４を内蔵した促進器５が装着され、塗り薬ボトル１の口部のネジ山に嵌合されるネジ山を持つキャップ６が嵌合され、このキャップ６にスポンジ部材７が装着され、このスポンジ部材７に促進器５の超音波振動子２のホーン２ａが接触されるように構成されている。【選択図】図１
2005211182.tif 000002
【特許請求の範囲】
【請求項１】
塗り薬を塗り薬ボトルに入れ、該塗り薬ボトルの口にキャップを装着し、該キャップにスポンジ部材を装着し、前記塗り薬ボトルの塗り薬を前記スポンジ部材を通して患部に塗布するようにした塗り薬塗布器において、前記塗り薬ボトルの口部に超音波振動子、電源及び発振器をケースに内蔵した促進器を装着し、前記超音波振動子のホーンの先端を前記スポンジ部材の端面に接触されるように配置し、前記超音波振動子からの超音波振動を前記スポンジ部材に向けて照射することにより、前記スポンジ内の塗り薬を患部に浸透させるようにすることを特徴とする超音波塗り薬浸透促進器。
【請求項２】
前記促進器を前記塗り薬ボトルの口部に予め固着することを特徴とする請求項１記載の超音波塗り薬浸透促進器
【請求項３】
前記促進器を前記キャップに予め固着することを特徴とする請求項１記載の超音波塗り薬促進器。
【発明の詳細な説明】
【技術分野】
【０００１】
本発明は、塗り薬ボトルのキャップに促進器を装着して、スポンジ部材にを超音波を照射することにより、塗り薬を皮膚に浸透させるようにした超音波塗り薬浸透促進器に関するものである。
【背景技術】
【０００２】
従来、塗り薬ボトルの口部にキャップが装着され、このキャップにスポンジ部材が装着され、塗り薬ボトル内の塗り薬は、塗り薬ボトルを逆さにして、スポンジ部材を患部に当ててこすると、スポンジ部材を通して塗り薬が適量滲みだすことにより、皮膚に適量の塗り薬が塗布されるように構成されている。
【０００３】
しかしながら、従来のこのような塗り薬ボトルでは、患部に塗布された塗り薬は患部からすぐに蒸発してしまうので、適宜効果を得るには、何回も塗布しなければならないという問題があった。
【発明の開示】
【発明が解決しようとする課題】
【０００４】
解決しようとする問題点は、患部に塗布した塗り薬がすぐに蒸発してしまうので、適宜効果を得るには、繰り返し塗布しなければならない点である。
【課題を解決するための手段】
【０００５】
本発明では、塗り薬ボトルの口部に超音波振動子、電源及び発振器を内蔵した促進器を装着し、超音波振動子のホーンの先端を前記スポンジ部材の端面に接触するように配置し、超音波振動子からの超音波振動を前記スポンジ部材に向けて照射することにより、スポンジ内の塗り薬を患部に塗布するとともに、患部に塗布された塗り薬を超音波のマイクロ振動により皮膚内に浸透させるようにするものである。
【発明の効果】
【０００６】
本発明の超音波塗り薬促進装置では、塗り薬ボトルのキャップに設けたスポンジ状部材に超音波を照射することにより、スポンジ部材をマイクロ振動することにより、塗り薬を皮膚に塗布するとともに、皮膚に塗布された塗り薬はマイクロ振動により皮膚内に浸透され、治癒効果を高めることができる。
【実施例】
【０００７】
図１は本発明の実施例の超音波塗り浸透促進器の一部断面側面図で、塗り薬ボトル１の口部に、ホーン２ａが接続されたランジュバン型の超音波振動子２、発振器３及び電源４をケース５ａに内蔵した促進器５が固定部材５ｂにより装着され、塗り薬ボトル１の口部のネジ山に嵌合されるネジ山を持つキャップ６が嵌合され、このキャップ６にスポンジ部材７が装着され、このスポンジ部材７に促進器５の超音波振動子２のホーン２ａが接触されるように構成されている。
【０００８】
このように構成された本実施例の超音波塗り薬浸透促進器では、塗り薬ボトル１口部に微弱超音波が超音波振動子２のホーン２ａから発生している促進器５を装着することにより、塗り薬ボトル１のキャップ６のスポンジ部材７を皮膚に接触させると、超音波振動子２から発生する超音波によって塗り薬が皮膚に塗布されるとともに、皮膚に塗布された塗り薬はマイクロ振動により皮膚内に浸透され、治癒効果を高めることができる。
【０００９】
図２は本発明の他の実施例の音波塗り浸透促進器の一部断面側面図で、１は塗り薬ボトル、２はランジュバン型の超音波振動子、３は発振器、４は電源、５は促進器、６はキャップ、７はスポンジ部材で、これらの構成は上記実施例と同じであるので、説明は省略するが、本実施例では、塗り薬を肩等に塗り易いように、スポンジ部材７を装着したキャップ６が側方に突出するように、塗り薬ボトル１の口部が側方に突出し、ランジュバン型の超音波振動子２、発振器３、電源４をケース５ａに内蔵した促進器５が横になるように塗り薬ボトル１の口部に固定部材５ｂで固定されている。
【００１０】
このように構成した本実施例の超音波塗り薬促浸透進器でも、前記実施例と同様に、超音波振動子２から発生する超音波によって塗り薬が皮膚に塗布されるとともに、皮膚に塗布された塗り薬はマイクロ振動により皮膚内に浸透され、治癒効果を高めることができる。
【産業上の利用可能性】
【００１１】
なお、上記実施例では、促進器を塗り薬ボトルの口部に装着するようにしたが、予め塗り薬ボトルの口部に促進器を固着してもよいし、予めキャップに促進器を固着するようにしてもよい。
【図面の簡単な説明】
【００１２】
【図１】本発明の実施例の超音波塗り薬浸透促進器の一部断面側面図である。
【図２】本発明の他の実施例の超音波塗り薬浸透促進器の一部断面側面図である。
【符号の説明】
【００１３】
１                塗り薬ボトル
２                超音波振動子
３                発振器
４                電源
５                促進器
６                キャップ
７                スポンジ部材
【図１】
2005211182.tif 000003
【図２】
2005211182.tif 000004
(57)【要約】【課題】  攪拌翼の掃除、点検、交換修理が容易な攪拌機を提供する。  【解決手段】  攪拌容器の底部7と直胴部5を分割し、底部を固定し直胴部を、支点軸8を介して開閉する。第一発明は、底部と直胴部を分割し、底部を固定して直胴部を開閉、若しくは脱着させる事を特徴とする構造である。第二発明は、底部を固定して、水平支点軸を中心に、直胴部を転倒させ開閉する事を特徴とする構造である。第三発明は、底部を固定して、直胴部を垂直支点軸を中心に、水平旋回させ開閉する事を特徴とする構造である。第四発明は、底部を固定して、直胴部を上昇させ開閉する事を特徴とする構造である。第五発明は、底部を固定して、直胴部を横にスライド移動させ開閉する事を特徴とする構造である。【選択図】  図２
2005211735.tif 000002
【特許請求の範囲】
【請求項１】
容器の底部に攪拌翼を有する攪拌機において、容器を分割し底部を固定して直胴部を開閉する事を特徴とする攪拌機。
【請求項２】
容器の底部に攪拌翼を有する攪拌機において、容器を分割し底部を固定して直胴部を、水平支点軸を介して、転倒開閉する事を特徴とする請求項1記載の攪拌機。
【請求項３】
容器の底部に攪拌翼を有する攪拌機において、容器を分割し底部を固定して、容器直胴部を、垂直支点軸を介して、水平旋回させ開閉する請求項１記載の攪拌機。
【請求項４】
容器の底部に攪拌翼を有する攪拌機において、容器を分割し底部を固定して、容器直胴部を上昇や旋回し開閉する、請求項１記載の攪拌機。
【請求項５】
容器の底部に攪拌翼を有する攪拌機において、容器を分割し底部を固定して、容器直胴部を横移動させ、開閉する事を特徴とする請求項1記載の攪拌機。              
【発明の詳細な説明】
【技術分野】
【０００１】
本発明は掃除や点検修理の簡単な攪拌機の構造に関する。
【背景技術】
【０００２】
従来の底部に攪拌翼を有する攪拌機の容器は図6に示すように、攪拌容器の底部と直胴部が、溶接一体構造、又はフランジ部を設け多数のボルトで固定されていた。
【発明の開示】
【発明が解決しようとする課題】
【０００３】
しかしながら，以上の技術によれば、攪拌容器の底部、翼付近の洗浄や掃除、翼の交換等の修理が難しい。
そこでこの発明は掃除や点検修理の簡単な攪拌機を提供する事を課題とする。
【課題を解決するための手段】
【０００４】
以上の課題を解決するために、
第一発明は、底部と直胴部を分割し、底部を固定して直胴部を開閉、若しくは脱着させる事を特徴とする構造である。
第二発明は、底部を固定して、水平支点軸を中心に、直胴部を転倒させ開閉する事を特徴とする構造である。
第三発明は、底部を固定して、直胴部を垂直支点軸を中心に、水平旋回させ開閉する事を特徴とする構造である。
第四発明は、底部を固定して、直胴部を上昇させ開閉する事を特徴とする構造である。
第五発明は、底部を固定して、直胴部を横にスライド移動させ開閉する事を特徴とする構造である。
【発明の効果】
【０００５】
本発明によれば、最も掃除、点検、修理が難しい攪拌機の底部分が、作業者の目前に開示される事により掃除、点検、修理が簡単にできて、製品に異物の混入も防げるメリットがある。
【発明を実施するための最良の形態】
【０００６】
この発明の一実施形態を，図１に示す攪拌容器を直胴部５と底部７に分割し、開閉せしめる事を最大の特徴とする構造である。
【実施例１】
【０００７】
図1の実施例は本発明の一実施例の断面図で、上蓋旋回押し付け支柱１２の押し付けを解除して上蓋４を旋回退避させた後、直胴部５は取り外し開閉する、請求項１の実施形態である、又原料取り出し口１０も取り外してもよい。
【実施例２】
【０００８】
図２の実施例は本発明の一実施形態の断面図で、上蓋旋回押し付け支柱１２の押し付けを解除して、上蓋４を旋回退避後、直胴部5の締付け金具3を解除し、支点軸８を介して転倒開閉させる、又原料取り出し口１０も脱着可能としても良い、請求項1及び請求項2の実施形態である。
【実施例３】
【０００９】
図３の実施例は本発明の一実施形態の断面図で、上蓋旋回押し付け支柱１２の押し付けを解除して上蓋4を旋回退避後、直胴部5を、支点軸8を介して、浮上旋回させ攪拌翼の取り出せる位置まで開閉する構造とし、請求項1及び請求項3の実施形態である。
【実施例４】
【００１０】
図4の実施例は本発明の一実施形態の断面図で、上蓋旋回押し付け支柱１２の押し付けを解除し、上蓋4を旋回退避後、直胴部５を直胴部上昇旋回支柱１１により、掃除や攪拌翼が取り出せる充分な高さに上昇させる構造とし、また旋回退避させても良い、請求項1及び請求項４の実施形態である。
【実施例５】
【００１１】
図5の実施例は本発明の一実施形態の断面図で、上蓋旋回押し付け支柱１２の押し付けを解除して、上蓋4を旋回退避後、直胴部５をスライド、ガイドレール１３を介して横移動させる構造とする、又原料取り出し口１０も取り外しても良い、請求項１及び請求項５の実施形態である。
【図面の簡単な説明】
【００１２】
【図１】この発明の一実施形態を示す請求項1の断面図である。
【図２】この発明の一実施形態を示す請求項1、請求項2の断面図である。
【図３】この発明の一実施形態を示す請求項1、請求項3の断面図である。
【図４】この発明の一実施形態を示す請求項1、請求項4の断面図である。
【図５】この発明の一実施形態を示す請求項1、請求項5の断面図である。
【図６】従来技術の断面図である。
【符号の説明】
【００１３】
１      攪拌機を形成する架台。
２      攪拌翼を回転させるモーター。
３      容器の固定金具。
４      容器の上蓋。
５      容器の直胴部。
６      攪拌翼。
７      容器の底部。
８      支点軸。
９      密閉用パッキン。
１０    原料取り出し口。
１１    直胴部、上昇旋回支柱。
１２    上蓋旋回、押し付け支柱。
１３    スライド、ガイドレール。
【図１】
2005211735.tif 000003
【図２】
2005211735.tif 000004
【図３】
2005211735.tif 000005
【図４】
2005211735.tif 000006
【図５】
2005211735.tif 000007
【図６】
2005211735.tif 000008
(57)【要約】【課題】異なる画像の手間がかかりかつ細部が不正確である視覚的相互比較を不要にする。【解決手段】磁気共鳴画像の評価方法、特に危機的な脳組織の識別および区画のための磁気共鳴画像の評価方法において、同一の身体部位の潅流強調磁気共鳴画像と潅流強調磁気共鳴画像とを重ねてミスマッチ画像を形成する。【選択図】図３
2005211672.tif 000002
【特許請求の範囲】
【請求項１】
磁気共鳴画像の評価のために、同一の身体部位の潅流強調磁気共鳴画像と拡散強調磁気共鳴画像とを重ねてミスマッチ画像を形成することを特徴とする磁気共鳴画像の評価方法。
【請求項２】
潅流強調磁気共鳴画像および拡散強調磁気共鳴画像の構造物に混合前に異なる色をつけることを特徴とする請求項１記載の方法。
【請求項３】
同一の身体部位の潅流強調磁気共鳴画像と拡散強調磁気共鳴画像とが画像媒体上に重ねられて描出されていることを特徴とする磁気共鳴画像の評価のためのミスマッチカード。
【発明の詳細な説明】
【技術分野】
【０００１】
本発明は、磁気共鳴画像の評価方法、特に危機的な脳組織の識別および区画のための磁気共鳴画像の評価方法および磁気共鳴画像の評価のためのミスマッチカードに関する。
【背景技術】
【０００２】
組織、特に脳組織を医師にとって関心のある詳細さでより良好に表示できるようにするために、それぞれの組織領域をその都度のその状態の種々の重み付けにより優先的に表示することを可能にする種々の磁気共鳴（ＭＲ）画像化法が知られている。
【０００３】
ＭＲ潅流画像化では、いわゆる半影部または危機状態にある組織が表示される。ＭＲ拡散強調撮影によれば、不可逆の損傷を受けた領域を非常に良好に表示することができる。しかしながら、これらの種々の撮影の評価は、従来は視覚的な画像比較によって行なわなければならず、実際には相当困難である。
【発明の開示】
【発明が解決しようとする課題】
【０００４】
従って、本発明の課題は、磁気共鳴画像の評価方法、特に危機的な脳組織の識別および区画のための磁気共鳴画像の評価方法において、異なる画像の、手間がかかりかつ細部がいつも不正確である視覚的な相互比較を不要にすることにある。
【課題を解決するための手段】
【０００５】
この課題の解決のために、本発明によれば、同一の身体部位の潅流強調磁気共鳴画像と拡散強調磁気共鳴画像とが重ねられてミスマッチ画像が形成され、しかも好ましくは両磁気共鳴画像の構造物は混合前に異なる色をつけられる。
【０００６】
磁気共鳴画像の重ね合わせによって、観察者は直ちに、例えば卒中発作の際に、どの領域を救うことができるか、すなわちどの領域がまだ不可逆の損傷を受けていないかを識別する。
【０００７】
本発明による方法により、同じ身体部位の潅流強調磁気共鳴画像と拡散強調磁気共鳴画像とを好ましくは色により対照させて画像媒体上に重ねて描出したミスマッチカードが作成される。
【発明を実施するための最良の形態】
【０００８】
以下における図面に基づく実施例の説明から本発明の他の利点、特徴および詳細を明らかにする。
図１は拡散測定から算出された脳部位の磁気共鳴画像を示し、
図２は潅流評価において新しく作られた同じ脳部位のＭＲ測定のカードを示し、
図３は図１および図２による画像のミスマッチカードすなわち画像媒体上での重ね表示を示す。
【０００９】
図１による拡散画像における暗領域は、患者にとって最高の確率でもはや救えない既に壊死した脳領域１を示す。図２による潅流画像において壊死領域１を有する認識可能な領域は、患者が治療されないならば、もはや回復もできない。図２による潅流画像を図１による拡散強調画像と重ねることによって、医師は傷ついた脳部位の位置を一瞥で認識することができ、どこに危機的個所があり、どれをまだ救うことができるのかについて遥かに改善された評価を下すことができる。
【００１０】
図１および図２による画像のミスマッチカードすなわち画像媒体上での重ね表示を示す図３において、実際上、暗い壊死した組織領域１と、明るく認識できる軽く傷ついた組織領域２とは、色で対照させられて形成されている。それによって、傷みの度合いに応じて色の強さまたは色階調を変化させるならば、評価者にとって更に改善された細部にわたる多くの評価可能性がもたらされる。
【図面の簡単な説明】
【００１１】
【図１】拡散測定から算出された脳部位の磁気共鳴画像を示す図
【図２】潅流評価において新しく作られた同じ脳部位のＭＲ測定のカードを示す図
【図３】図１および図２による画像のミスマッチカードすなわち画像媒体上での重ね表示を示す図
【符号の説明】
【００１２】
１        壊死領域
２        軽く傷ついた組織領域
【図１】
2005211672.tif 000003
【図２】
2005211672.tif 000004
【図３】
2005211672.tif 000005
(57)【要約】【目的】心身のストレス解消又安眠、不安の減少又住宅事情や身体的にペットが飼えない方達に安全で健全なペットの代わりを提供する物である。【構成】犬型ぬいぐるみ（１）の中に鳴き声、心音、寝息を録音したテープレコーダー及び録音機（２）を作動させるスイッチを（３）内蔵し又、空気を送り込む（鼻から入れ鼻から抜ける）装置（５）よりチューブ（６）を介して袋（４）に空気を送り、ある一定の空気圧になると、弁（７）より空気が抜ける様にしたダッコペット具。【選択図】  図１
2005211642.tif 000002
【特許請求の範囲】
【請求項１】
犬型ぬいぐるみ（１）の中に鳴き声、心音、寝息を録音したテープレコーダー及び録音機（２）を作動させるスイッチを（３）内蔵し又、空気を送り込む（鼻から入れ鼻から抜ける）装置（５）よりチューブ（６）を介して袋（４）に空気を送り、ある一定の空気圧になると、弁（７）より空気が抜ける様にしたダッコペット具。
【発明の詳細な説明】
【発明の詳細な説明】
【産業上の利用分野】
【０００１】  本発明は人間の心を癒し、ストレスを解消させるグッズに関する
【背景技術】
【０００２】  従来よりダッコ系癒しグッズ又は鳴き声を出す玩具
【発明が解決しようとする課題】
【０００３】  従来より有る癒しグッズでは満たされない機能を提供するものである
【課題を解決するための手段】
【０００４】  本発明はペット型ぬいぐるみの中に録音機（２）を内蔵し母親の心音又は寝息及び言葉の語りかけ等を録音し、スイッチ（６）を入れる事で作動させるようにし、赤ちゃん等に添い寝させられるようにする
【０００５】  内蔵（８）を柔らかい材質にし外面（９）材を綿、ビニール、フェルト等で被うようにする。弾性の有る材質
【０００６】  外面材（９）はカバーにし、取り外し自在にクリーニング出来るようにする
【０００７】  ぬいぐるみ（１）にセンサー光（１０）を取り付け作動させる。又、作動はタイマー（１１）又はスイッチにより切れるようにする
【０００８】  内蔵された袋（４）は空気を送り込む装置で母親の呼吸
【請求の項１】
犬型ぬいぐるみ（１）の中に鳴き声、心音、寝息を録音したテープレコーダー及び録音機（２）を作動させるスイッチを（３）内蔵し又、空気を送り込む（鼻から入れ鼻から抜ける）装置（５）よりチューブ（６）を介して袋（４）に空気を送り、ある一定の空気圧になると、弁（７）より空気が抜ける様にしたダッコペット具。の動きに合わせて作動する
【０００９】  ぬいぐるみ（１）の形は、犬、猫、イルカ、熊、ウサギ、ハムスター、人形  その他自由に形を作る
【００１０】  ぬいぐる（１）のカバーには数個のポケット（１１）をつける
ぬいぐるみのカバーには数個のポケット（１１）を付ける。
又、リラックス効果の有るアロマ、ハーブ、好きな香りのものを入れる
冬は」ホカロン、夏はアイスノン等が入れられるようにする
【００１１】  録音機及び空気送り装置及びタイマーをセットにまとめて内蔵させｒ。
固定させる
【００１２】  カバー（９）は暖かみのある物又はさっぱりした素材等取り替え自由とする。
【００１３】  録音機（２）空気送り装置（５）等はすべて別々にスイッチでコントロールを出来るようにする
【００１４】  有る場所をなでる。押す。手、足、等によりスイッチの切り替えが出来るようにする
【００１５】  ぬいぐるみ本体に外電より電気を取り入れる差し込みプラグ（１４）を設ける
【００１６】  ぬいぐるみ本体（１）内にバッテリー（１３）を入れ固定させる。
充電可能なバッテリー（１３）を使用する。
【作用】
【００１７】  本発明は以上の様な構成であるので、帰宅した時、ぬいぐるみ（１）に設けてあるセンサー（１０）がキャッチし犬の鳴き声（クゥーン等の甘えた声）等の録音音声が流れ、心を癒してくれる。又、ダッコすることで呼吸音又は息づかい、ぬくもり等が感じられ心身の安らぎ、ストレスの発散等効果が有る
【実施例】
【００１８】  本発明はペット型ぬいぐるみの中に録音機で内蔵し、母親の心音（健康な女性の心音が赤ちゃんや子供に与える作用を考えて）、又は寝息、動物の鳴き声や人間の声、好きな言葉等を録音し、スイッチ（６）を入れる事で作動し、赤ちゃんから大人まで、小さな物なら乳母車の中から、大きな物なら抱き枕までの大きさで添い寝させる様にする（何かに抱きつくのは安心感、又ぬくもりが得られる）
【効果】
【００１９】  本発明は以上のような構成であるので帰宅した時の静けさや寂しさを、ぬいぐるみ（１）に設けてあるセンサー（１０）がキャッチし犬の鳴き声（クウ〜ン等の甘えた声）の録音テープ音が流れ心を癒したり安心感や温かみを感じさせてくれる。又抱っこする事、側に置く事で呼吸音、又息づかい、又温もり等が感じられ心身の安らぎ、ストレスの発散等の効果が得られる。
【図面の簡単な説明】
【図１】  破断線により内部の見える側断面図
【図２】  本体上面図
【図３】  本体下より見た底面図
【符号の説明】
１．ぬいぐるみ本体
２．録音機
３．スイッチ
４．空気袋
５．空気送り具
６．中間パイプ
７．弁
８．内臓材
９．内臓材を被う外面材
１０．センサー  光
１１．タイマー
１２．コード
１３．バッテリー
１４．差し込み具（プラグ用）
１５．空気吸排気口
【図１】
2005211642.tif 000003
【図２】
2005211642.tif 000004
【図３】
2005211642.tif 000005
(57)【要約】【課題】  従来の点滴用ダブルバッグは、圧力を加えて隔壁を開通してから使用していた。よって隔壁の開通をしないまま点滴するという危険があった。隔壁を開通する作業なしで使用できる点滴用ダブルバッグを提供する。【解決手段】  点滴用ダブルバッグの隔壁部に硬質樹脂を取り付ける。このバッグを折りたたむと、硬質樹脂も折れ曲がり爪となる。バッグ本体がくねらない様に工夫しておくことにより、バッグを折りたたんだ状態から開くだけで隔壁は開通する。【選択図】図１
2005211643.tif 000002
【特許請求の範囲】
【請求項１】
点滴用ダブルバッグの隔壁部に工夫をすることにより、折り畳んだ状態の点滴用ダブルバッグを開くと隔壁が開通して使用できる状態になる点滴用ダブルバック
【発明の詳細な説明】
【発明の詳細な説明】
【技術分野】
【０００１】  この発明は隔壁を開通する作業を必要としない点滴用ダブルバックに関するものである。
【背景技術】
【０００２】  従来の点滴用ダブルバックは、バッグ中央部を接合して隔壁としバッグを２室に仕切ることによって２種類の薬剤が混ざり合わないようにしており、上室または下室のどちらかに手で圧力を加え隔壁を開通して薬剤を混ぜ合わせてから使用していた。
【発明が解決しようとしている課題】
【０００３】  従来の点滴用ダブルバックは、手で圧力を加え隔壁を開通してから使用するという作業があるために、隔壁の開通を忘れたまま、あるいはすでに開通したと勘違いして下室のみ点滴するという重大な欠点がある。
この発明は、その欠点を除くためになされたもので、使用時には必ず隔壁が開通するように考えたものである。
【発明の形態】
【０００４】  図面を用いて説明すれば、点滴用ダブルバッグ本体は軟質樹脂（２）を用いてバッグの上端と下端を閉じていない状態で成型する。点適用ダブルバッグには、バッグがくねらないようにするために溝（３）を作り、バッグ全体に芯を入れる。点滴用ダブルバッグの中央に隔壁となる場所（５）を決めてバッグを上室と下室に分け、上室には点滴台につるす穴（１）を下室には注射針を通すゴム管（８）を設ける。そして隔壁部分の両側に硬質樹脂（６）を接着する。硬質樹脂を接着したら隔壁を圧着し、点滴用ダブルバッグの各室にそれぞれ薬剤を封入して上下の端を圧着して薬剤を密閉する。
この点滴用ダブルバッグは、上室と下室を合わせるようにして折り畳み（図３）保管するものとする。隔壁両脇の硬質樹脂は、この点滴用ダブルバッグを折りたたむと、硬質樹脂も折り畳んだ状態（図７）になる。この硬質樹脂は、折り畳むと硬質樹脂本体に設けた突起物（９）と穴（１０）が緊合して、折り畳んだままの状態で固定され元に戻らなくなる。
【課題解決のための手段】
【０００５】  点滴用ダブルバッグは点滴台につるす穴を上に、注射針を通すゴム管は下に位置するので、点滴用ダブルバッグは折りたたんだ状態から元の開いた状態にしなければ使用できない。元の開いた状態に戻そうとすると、隔壁両側の硬質樹脂は折り畳んだままの状態であり、点滴用ダブルバッグ本体はくねらない様に芯を入れてあるので、硬質樹脂は折り畳んだバッグ内側の軟質樹脂を引っかくようにして中から押し上げる。その結果、点滴用ダブルバッグの隔壁は接がれる。こうして圧力を加える作業なしでも点滴用ダブルバッグの隔壁は接がれるのである。
【本発明の効果】
【０００６】  この点滴用ダブルバッグは、圧力を加え２室を１室にするという作業がないので作業のど忘れや勘違いによる下室のみの点滴という医療事故はなくなる。また下室のみの点滴というミスがあった場合、患者と医療従事者の信頼関係は失われてしまうが、この発明によりそのような事はなくなる。この発明により医療従事者はダブルバッグの下室のみの点滴という危険性から開放され、ストレスなしに点滴の調整が出来るので精神的にも余裕が生まれる。点滴を用意する作業は楽になるし、医療従事者の作業時間は短縮されることにより他の仕事時間をさく余裕が生まれる。
【図面の簡単な説明】
【図】１  本発明の斜視断面図ある。
【符号の説明】
（１）点滴つるし穴（２）軟質樹脂で整形したバッグ本体（３）溝（４）点滴上室
（５）隔壁部（６）硬質樹脂（７）点滴下室（８）ゴム管
【図】
２  本発明の側面図
【符号の説明】
（２）軟質樹脂で整形したバッグ本体（３）溝（４）点滴上室
（５）隔壁部（６）硬質樹脂（７）点滴下室（８）ゴム管
【図】
３  本発明の実施例図
【符号の説明】
（４）点滴上室（５）隔壁部（６）硬質樹脂（７）点滴下室（８）ゴム管
【図】
４  本発明の他の実施例図
【符号の説明】
（２）軟質樹脂で整形したバッグ本体（３）溝（６）硬質樹脂（７）点滴下室
（８）ゴム管
【図】
５  本発明の部分拡大図
【符号の説明】
（９）突起物（１０）穴
【図】
６  本発明の部分側面図
【符号の説明】
（９）突起物（１０）穴
【図】
７  本発明の部分実施側面図
【符号の説明】
（９）突起物
【図１】
2005211643.tif 000003
【図２】
2005211643.tif 000004
【図３】
2005211643.tif 000005
【図４】
2005211643.tif 000006
【図５】
2005211643.tif 000007
【図６】
2005211643.tif 000008
【図７】
2005211643.tif 000009
(57)【要約】【課題】床暖房は床に座るとぽかぽかと温かく快適であるが、椅子などの家具の座る部分までは温熱は伝達できない。これを解決する方法として発明者等はヒートパイプによる伝熱伝熱方式について特許第２７４４８９９号により提案した。しかしながら用途によっては低コストの方式の要請があった。【解決手段】ヒートパイプの代替として良熱伝導材料である銅やアルミニューム、マグネシューム、鉄、またはその合金など等で構成した密閉容器による伝熱方式により、低コスト化をはかる。【選択図】    図１
2005211641.tif 000002
【特許請求の範囲】
【請求項１】
銅、アルミニューム、マグネシューム、鉄、またはその合金などの良熱伝導材で構成した密閉容器の側面周囲を断熱材で覆い、上部の座る部分に床暖房の温熱を伝える床暖房伝熱家具
【請求項２】
床暖房の床から熱を吸収する密閉容器の下部に良熱伝導性を有していて暖房され載置された床の表面形状に従い変形する圧力緩衝部材を取り付けた請求項１の床暖房伝熱家具
【発明の詳細な説明】
【考案の詳細な説明】
【技術分野】
【０００１】  この発明は、床暖房からの熱を伝える床暖房伝熱家具に関するものである。
【背景技術】
【０００２】  床暖房は直接床に座ると気持ちの良い温かさが伝わる快適なものである。しかしながらこの床の上に置いた椅子などの家具の表面には熱は伝わらない欠点があった。発明者等はこの分野に関して特許第２７４４８９９号を提案している。特許第２７４４８９９号は熱伝達の手段としてヒートパイプを応用し、椅子などの座る部分に熱を伝えるものである。
【特許文献１】特許第２７４４８９９号
【発明の開示】
【発明が解決しようとする課題】
【０００３】  特許第２７４４８９９号の方式はヒートパイプにより熱を伝える方式であるが、ヒートパイプは高コストの部材であり、性能は優れているが原価高である。用途によっては伝熱性能は低くとも低コストの部材による構成が望まれている。
【課題を解決するための手段】
【０００４】  本発明はこのような要請に応えるため、密閉容器を銅やアルミニューム、マグネシューム、鉄、またはその合金などの良熱伝導材料で構成するものである。
【発明の効果】
【０００５】  本発明は以上のような構成であるので、ヒートパイプの代替として密閉容器を銅やアルミニューム、マグネシューム、鉄、またはその合金などで構成して低コスト化を実現した。本発明の構成の一実施例として銅製の缶体の密閉容器を製作し、実験を行ったところ、驚いたことに予期した以上の良い効果を得た。床暖房の熱は立ち上がりに時間を要し、ヒートパイプ方式に較べて得られる温度上昇は低いものの、用途によっては充分実用できる性能が得られた。老人ホームなど一日中床暖房を行っているところでは初期の温度の立ち上がりに時間を要しても問題なく使用できる。
【発明を実施するための最良の形態】
【０００６】  本発明の実施例について、図面により説明する。図１は本発明の一実施例の形態に従った床暖房伝熱家具が主要部を切断された形で示されている。図１の実施例は椅子１０である。部構成を示す斜視図である。密閉容器１２は銅やアルミニューム、マグネシューム、鉄、またはその合金などの合金などの良熱伝導材料で構成する。中でも銅、アルミニューム、マグネシュームは熱伝導性能に優れており望ましい。密閉容器１２は缶詰の缶を製造する「かしめ」構造が応用できる。  密閉容器１２の下部は熱を吸収し、上部は熱を放熱する。圧力緩衝部材１１は銅やアルミニュームなどの良熱伝導性材料が混在された例えば天然または合成ゴムのごとき弾性材料、または極細銅線を用いて弾性を有する布状に編んだ材料や布に極細銅線をミシン縫いした材料でも良い。クッション部材１３は極細銅線でミシン縫いなどにより、熱伝導性能を高めることが出来る。断熱部材１４は密閉容器１０を覆い、熱の放散を防ぐ。
【図面の簡単な説明】
【０００７】
【図１】この発明の実施例の形態に従った床暖房伝熱家具である椅子を主要部を切断した状態で示す斜視図である。
【符合の説明】
【０００８】１０：椅子
１１：圧力緩衝部材
１２：密閉容器
１３：クッション部材
１４：断熱部材
【図１】
2005211641.tif 000003
(57)【要約】【課題】  徒歩移動可能な通常の靴と椅子としての機能の両立を提供することを課題とする。【解決手段】  踵部分に所定の長さのＵ字型スタンドが俯仰可能にピン保持してあり、俯仰の角度により作用点が接地しなければ通常の靴として使用可能であり、作用点が接地した場合は臀部と作用点において体重を支える椅子としての機能を提供することができる。【選択図】  図１
2005211611.tif 000002
【特許請求の範囲】
【請求項１】
踵部分に所定の長さのＵ字型スタンドが俯仰可能にピン保持してあることを特徴とするスタンド付きシューズ。
【請求項２】
前記のスタンドは、俯仰の角度により作用点が接地し、臀部と作用点において体重を支えることを特徴とする請求項１のスタンド付きシューズ。
【発明の詳細な説明】
【技術分野】
【０００１】    この発明は、スタンド付きシューズに関する。
【背景技術】
【０００２】    従来の靴は、徒歩移動及び足の保護を目的とするため椅子としての機能はなかった。【０００３】    また、図４のように椅子の足を靴と膝で支える方法も考案されているが、支点が踵に固定されるなど作業中心の構造のため、通常の靴として使用することは困難である。
【特許文献１】特開２００３−２６５２６７  号公報
【発明の開示】
【発明が解決しようとする課題】
【０００４】    以上の技術によれば、徒歩移動可能な通常の靴と椅子としての機能の両立は困難である。そこで、この発明は通常の靴と椅子の機能の両立を提供することを課題とする。
【課題を解決する手段】
【０００５】    以上の課題を解決するために、踵部分に所定の長さのＵ字型スタンドが俯仰可能にピン保持してあり、俯仰の角度により作用点が接地し、臀部と作用点において体重を支える椅子としての機能を提供することを特徴とするスタンド付きシューズである。
【発明の効果】
【０００６】    踵部分にＵ字型スタンドを保持。スタンドを立てた状態では作用点が接地しないので車の運転や歩行移動など、通常の靴としての使用が可能である。また、倒した状態では作用点が接地するので、体重を支える椅子としての使用が可能である。
【発明を実施するための最良の形態】
【０００７】    スタンド上部の（１）は臀部への負担を軽くするため、軽量で柔軟性のあるスポンジやゴムなどの素材を使用する。スタンド本体（２）は強度を増すためＵ字型に加工してあり、軽量で耐久性のある強化プラスチックや軽量合金などの素材を使用する。スタンドの作用点（３）は接地部であるため磨耗に強い素材を使用する。スタンドを靴に保持するピン（４）は図２のように靴の内側から外側に向かうボルト式になっており、踵に触れない構造である。プロテクター（５）は靴の型くずれ防止と踝の保護のため取り付ける。
【図面の簡単な説明】
【０００８】
【図１】この発明の一実施形態を示すスタンドを立てた状態の側面図である。
【図２】スタンドを立てた状態を示す背面図である。
【図３】スタンドを倒して座れる状態を示す全体の側面図である。
【図４】従来技術を示す斜視図である。
【符号の説明】
【０００９】１  クッション      ２  スタンド本体      ３  作用点（接地部）
４  可動ピン（ボルト式）      ５  プロテクター
【図１】
2005211611.tif 000003
【図２】
2005211611.tif 000004
【図３】
2005211611.tif 000005
【図４】
2005211611.tif 000006